(57)【特許請求の範囲】
【請求項１】
複数の局部洗浄モードとプレ洗浄モードとノズル洗浄モードを備え、前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
ノズル洗浄時に前記開口部と連通するノズル洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
使用者の着座後は、前記ロータリーバルブの回動により前記開口部を前記ノズル洗浄ポートに連通させて局部洗浄の待機をさせておき、局部洗浄直前に前記給水弁を開放してプレノズル洗浄を行うことを特徴とする局部洗浄装置。
【請求項２】
複数の局部洗浄モードとプレ洗浄モードを備え、
前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
プレ洗浄終了後に前記ロータリーバルブの回動により前記第一リセット部若しくは前記第二リセット部のいずれかで原点リセットを行い、且つ、そのロータリーバルブの回動途中に前記開口部が前記各局部洗浄ポートのいずれかを通過する場合には、プレ洗浄終了後一定時間は前記開口部を前記プレ洗浄ポートで待機させた後に前記ロータリーバルブを回動させることを特徴とする局部洗浄装置。
【請求項３】
複数の局部洗浄モードとプレ洗浄モードを備え、
前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
プレ洗浄終了後に前記ロータリーバルブの回動により前記第一リセット部若しくは前記第二リセット部のいずれかで原点リセットを行い、且つ、そのロータリーバルブの回動途中に前記開口部が前記各局部洗浄ポートのいずれかを通過する場合には、前記給水弁から前記ロータリーバルブに至る流路内に残圧センサを配し、該残圧センサの出力に応じて前記開口部を前記プレ洗浄ポートで待機させるか前記ロータリーバルブを回動させるかの判断を行うことを特徴とする局部洗浄装置。
【請求項４】
複数の局部洗浄モードとプレ洗浄モードとノズル洗浄モードを備え、前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
ノズル洗浄時に前記開口部と連通するノズル洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
ノズル洗浄終了後に前記ロータリーバルブの回動により前記第一リセット部若しくは前記第二リセット部のいずれかで原点リセットを行う際に、前記ロータリーバルブの前記開口部が前記各局部洗浄ポートのいずれかを通過する場合には、ノズル洗浄終了後一定時間は前記開口部を前記ノズル洗浄ポートで待機させた後に前記ロータリーバルブを回動させることを特徴とする局部洗浄装置。
【請求項５】
複数の局部洗浄モードとプレ洗浄モードとノズル洗浄モードを備え、前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
ノズル洗浄時に前記開口部と連通するノズル洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
ノズル洗浄終了後に前記ロータリーバルブの回動により前記第一リセット部若しくは前記第二リセット部のいずれかで原点リセットを行う際に、前記ロータリーバルブの前記開口部が前記各局部洗浄ポートのいずれかを通過する場合には、前記給水弁から前記ロータリーバルブに至る流路内に残圧センサを配し、該残圧センサの出力に応じて前記開口部を前記ノズル洗浄ポートで待機させるか前記ロータリーバルブを回動させるかの判断を行うことを特徴とする局部洗浄装置。
【請求項６】
複数の局部洗浄モードとプレ洗浄モードを備え、
前記各洗浄モードに応じて流路を切換えるためのノズル流路切換ブロックを、
側周面上にレバー部と開口部を設けた回動自在なロータリーバルブと、
前記ロータリーバルブの周囲に、該ロータリーバルブの回動により各局部洗浄時に択一的に前記開口部と連通する複数の局部洗浄ポートと、
プレ洗浄時に前記開口部と連通するプレ洗浄ポートと、
２箇所のリセット部のうち適当な方と前記レバー部を当接させて原点リセットを行う為の第一リセット部及び第二リセット部とを配して構成し、
更に、前記ノズル流路切換ブロックへの給水を制御する為の給水弁と、
前記各洗浄ポートを介して給水される複数のノズル部と、を設け、
局部洗浄を行わせる為の局部洗浄スイッチ及び局部洗浄を停止させる為の止スイッチを設け、使用者の着座中であり、且つ、局部洗浄中に前記止スイッチを操作した場合には、該局部洗浄を中途終了させた後に前記ロータリーバルブの回動により前記第一リセット部若しくは前記第二リセット部のいずれかで原点リセットを行わせ、更に、前記原点リセットまでの回動途中に前記局部洗浄スイッチを操作した場合には、前記原点リセットを飛ばして前記局部洗浄スイッチの操作に応じた局部洗浄を行うことを特徴とする局部洗浄装置。
【発明の詳細な説明】
【０００１】
【発明の属する技術分野】
本発明は、局部洗浄装置において、洗浄水の切換えを確実に且つ素早く行う為の技術に関するものである。
【０００２】
【従来の技術】
局部洗浄装置とは、便器（図示せず）に設置される装置であり、使用者の局部に対して下方より温水を出射することで洗浄を行うものである。図１３には局部洗浄装置の構造図を示している。設置されている局部洗浄スイッチ（図示せず）を押すことで給水弁５０が開放され、それによってタンク５１内に水圧がかかると、タンク５１内においてヒータ５２によって暖められた温水はタンク５１と連通したノズル流路切換ブロック５７に流入し、更に、該ノズル流路切換ブロック５７にて択一的に切換えられた流路を介して、おしりシリンダ５５やビデシリンダ５６のいずれかに送り込まれる。おしりノズル部のおしりシリンダ５５内に送り込まれた温水が、収納されていたおしりスライダ５５ａを前方に押し出すと、おしりスライダ５５ａの先端に設けたおしりキャップ５５ｂから局部に向けて温水が噴出される。また同様に、温水がビデノズル部のビデシリンダ５６内に送り込まれた場合には、押し出されたビデスライダ５６ａの先端に設けたビデキャップ５６ｂから局部に対して温水が噴出される。
【０００３】
次に、図１４に基づいて上記ノズル流路切換ブロック５７について説明する。温水の流入する洗浄水入口５８から連通する流路は、下方に配したステッピングモータ５９により回動するロータリーバルブ１０によって、おしりシリンダ５５と接続したおしり洗浄ポート１や、ビデシリンダ５６と接続したビデポート２に、択一的に接続される。
【０００４】
従来のロータリーバルブ１０の、特におしり洗浄とビデ洗浄を行うものの動作を図１５に示している。ロータリーバルブ１０の回動に伴い、その外周面に設けた開口部１０ｂも位置を変えるのだが、該開口部１０ｂが所定の位置にあるときだけ連通するように、おしり洗浄ポート２及びビデ洗浄ポート３をロータリーバルブ１０の両脇に備えている。また、ロータリーバルブ１０の外周面であり、且つ、開口部１０ｂと反対側の箇所にはレバー１０ａを突設しており、該レバー１０ａがおしり洗浄ポート側リブ２０ａまたはビデ洗浄ポート側リブ２０ｂにて係止されると、ロータリーバルブ１０の回転は所定の位置で一旦停止する。上記おしり洗浄ポート側リブ２０ａ及びビデ洗浄ポート側リブ２０ｂは、夫々がおしり洗浄ポート２及びビデ洗浄ポート３に対して図中にて下方に配されており、レバー１０ａが下側に回転することを阻止している。
【０００５】
レバー１０ａが図１５（ｂ）に示すおしり洗浄位置Ａに位置するときには開口部１がおしり洗浄ポート２と連通するので、該おしり洗浄ポート２を介しておしりシリンダ５５に温水が流入してゆく。また、レバー１０ｂが図１５（ｃ）に示すビデ洗浄位置Ｂに位置するときは、開口部１０ｂはビデ洗浄ポート３と連通し、該ビデ洗浄ポート３を介してビデシリンダ５６へと温水が流入する。
【０００６】
このようにして流路の切換えを行うのであるが、運転停止時には、レバー１０ａを図１５（ａ）に示すようにおしり洗浄位置Ａとビデ洗浄位置Ｂの略中間にある止水位置Ｃに置いておくことで、開口部１０ｂをおしり洗浄ポート２ともビデ洗浄ポート３とも連通しない止水状態で待機させておく。
【０００７】
但し、レバー１０ａをおしり洗浄位置Ａ又はビデ洗浄位置Ｂから停止位置Ｃに切換える際には、図１５（ｄ）に示すようにレバー１０ａを例えばビデ洗浄ポート側リブ２０ｂに一旦係止させて原点リセットを行い、それから停止位置Ｃに移動させる。これによりバックラッシュ等により生じる機械的なずれを補正することができる。
【０００８】
【発明が解決しようとする課題】
上記した従来例は、洗浄モードとしておしり洗浄モードとビデ洗浄モードを備えた局部洗浄装置のノズル流路切換ブロックにおいて原点リセットを１箇所で行うものであった。しかし、局部洗浄装置の洗浄モードとしては他にプレ洗浄モードやノズル洗浄モード等があり、このような多くの洗浄モードを具備した局部洗浄装置の場合には、各洗浄モードに応じて多数のノズル洗浄ポートが必要となり、従って、従来例で示したものと同様に原点リセットを１箇所のみで行うものであれば、切換えにおけるレバーの動作範囲が広くなってしまい、切換精度の不安定化により各ポートと開口部の位置にずれが生じ易くなる。また、切換えに要する時間も長くなってしまう。
【０００９】
本発明は上記の点に鑑みてなされたものであり、多様な洗浄モードを備えた場合であっても、洗浄モードの切換えを高精度、且つ、迅速に行うことのできる局部洗浄装置を提供することを課題とするものである。
【００１０】
【課題を解決するための手段】
上記課題を解決するために本発明に係る局部洗浄装置を、複数の局部洗浄モードとプレ洗浄モードとノズル洗浄モードを備え、前記各洗浄モードに応じて流路を切換えるためのノズル流路切換ブロックを、側周面上にレバー部と開口部を設けた回動自在なロータリーバルブと、前記ロータリーバルブの周囲に、該ロータリーバルブの回動により各局部洗浄時に択一的に上記開口部と連通する複数の局部洗浄ポートと、プレ洗浄時に上記開口部と連通するプレ洗浄ポートと、ノズル洗浄時に前記開口部と連通するノズル洗浄ポートと、２箇所のリセット部のうち適当な方と上記レバー部を当接させて原点リセットを行う為の第一リセット部及び第二リセット部とを配して構成し、更に、上記ノズル流路切換ブロックへの給水を制御する為の給水弁と、上記各洗浄ポートを介して給水される複数のノズル部と、を設け、使用者の着座後は、前記ロータリーバルブの回動により前記開口部を前記ノズル洗浄ポートに連通させて局部洗浄の待機をさせておき、局部洗浄直前に前記給水弁を開放してプレノズル洗浄を行うことを特徴とする局部洗浄装置とする。このようにすることで、多くの洗浄モードを付与する為にロータリーバルブの周囲に洗浄ポートを多数配設した場合でも、動作中に行われる幾つかの原点リセットを２箇所のリセット部のどちらかで行うことができるので、リセット部を１箇所にしたものと比較して１回の原点リセットにおけるロータリーバルブの回動範囲つまりレバー部の移動範囲が大きくなり過ぎることが防止される。
【００１１】
また、ノズル洗浄モードを備えるとともに、ロータリーバルブの周囲には該ロータリーバルブの回動によりノズル洗浄時に開口部と連通するノズル洗浄ポートを設け、ノズル洗浄終了後には第一リセット部と第二リセット部のいずれかで原点リセットを行わせる。このようにすることでノズル部に附着した汚れを洗浄することができ、且つ、その為にレバー部の移動範囲が大きくなり過ぎることを防止することができる。
【００１２】
また、使用者の着座後は、ロータリーバルブの回動により開口部をノズル洗浄ポートに連通させて局部洗浄の待機をさせておき、局部洗浄直前に給水弁を開放してプレノズル洗浄を行わせる。このようにすることで、ロータリーバルブはその状態のままで給水弁を開放するだけで迅速にプレノズル洗浄が行われる。
【００１３】
また、局部洗浄終了後にロータリーバルブの回動により開口部をノズル洗浄ポートに連通させておき、ノズル部の収縮動作に合わせて給水弁を開放してノズル洗浄を行わせる。このようにすることで、ノズル部全体を効率的に洗浄することができる。
【００１４】
また、プレ洗浄終了後にロータリーバルブの回動により第一リセット部若しくは第二リセット部のいずれかで原点リセットを行い、且つ、そのロータリーバルブの回動途中に開口部が各局部洗浄ポートのいずれかを通過する場合には、プレ洗浄終了後一定時間は開口部をプレ洗浄ポートで待機させた後にロータリーバルブを回動させるか、若しくは、給水弁からロータリーバルブに至る流路内に残圧センサを配し、該残圧センサの出力に応じて開口部をプレ洗浄ポートで待機させるかロータリーバルブを回動させるかの判断を行う。このようにすることで、プレ洗浄終了後のロータリーバルブの回動中に開口部が通過する局部洗浄ポートに残圧がかかることが防止される。
【００１５】
また、ノズル洗浄終了後にロータリーバルブの回動により第一リセット部若しくは第二リセット部のいずれかで原点リセットを行う際に、ロータリーバルブの開口部が各局部洗浄ポートのいずれかを通過する場合には、ノズル洗浄終了後一定時間は開口部をノズル洗浄ポートで待機させた後にロータリーバルブを回動させるか、若しくは、給水弁からロータリーバルブに至る流路内に残圧センサを配し、該残圧センサの出力に応じて開口部をノズル洗浄ポートで待機させるかロータリーバルブを回動させるかの判断を行う。このようにすることで、ノズル洗浄終了後のロータリーバルブの回動中に開口部が通過する局部洗浄ポートに残圧がかかることが防止される。
【００１６】
また、局部洗浄を行わせる為の局部洗浄スイッチ及び局部洗浄を停止させる為の止スイッチを設け、使用者の着座中であり、且つ、局部洗浄中に止スイッチを操作した場合には、該局部洗浄を中途終了させた後にロータリーバルブの回動により第一リセット部若しくは第二リセット部のいずれかで原点リセットを行わせ、更に、前記原点リセットまでの回動途中に局部洗浄スイッチを操作した場合には、前記原点リセットを飛ばして局部洗浄スイッチの操作に応じた局部洗浄を行う。このようにすることで、使用者の都合に合わせて迅速な局部洗浄モードの割り込み切換えが可能となる。
【００１７】
【発明の実施の形態】
以下、本発明を添付図面に示す実施の形態に基づいて説明する。図１は本発明の実施の形態における一例の局部洗浄装置に設けたノズル流路切換ブロックを示している。上記一例は既述した従来例と同様な構成を設けたものであるが、使用者の着座を検知する為の着座センサ（図示せず）を備え、洗浄モードとしてはおしり洗浄モードとビデ洗浄モードに加えて、更にプレ洗浄モードを設けている。ここでのプレ洗浄モードとは、排出した便が便器表面に附着し難くなるように予め図４，図５に示すプレ洗浄ノズルから便器に対して洗浄水を噴射しておく洗浄モードのことである。
【００１８】
一例のノズル流路切換ブロックには、従来例のものの構成に加えて、ロータリーバルブ２の周囲に該ロータリーバルブ１０の回転により開口部１０ｂと連通するプレ洗浄ポート１が更に配してある。また、ロータリーバルブ２の周囲にはリブ２１が配してあり、その両側を第一リセット部２１ａ及び第二リセット部２１ｂとして、レバー１０ｂを係止することで２箇所での原点リセットを可能にしている。一例ではリブ２１から時計回りに第一リセット部２１ａ、ビデ洗浄ポート３、プレ洗浄ポート１、おしり洗浄ポート２、第二リセット部２１ｂの順で夫々配設している。
【００１９】
実際の動作を簡単に述べると、着座センサの着座検知前は図１（ａ）に示すようにレバー１０ａをプレ洗浄位置Ｄに置くことで開口部１０ｂをプレ洗浄ポート１に連通させておき、着座検知後に給水弁５０を開放してプレ洗浄を行う。その後に図１（ｂ）に示すようにレバー１０ｂを第一リセット部２１ａと当接させて原点リセットを行ったうえで止水位置Ｃにて待機させておく。上記止水位置Ｃとしては、開口部１０ｂが各ポート１，２，３のいずれとも連通しない位置であれば別の位置でも構わない。また、着座センサが離座を検知すれば図１（ｃ）に示すようにレバー１０ａを第二リセット部２１ｂと当接させて原点リセットを行ったうえでレバ−１０ａをプレ洗浄位置Ｄに位置させておく。
【００２０】
このように、レバー１０ａの位置に応じて、上記第一リセット部２１ａ及び第二リセット部２１ｂを使い分けて原点リセットを行うので、レバーの動作範囲が広くなり過ぎることが防止される。
【００２１】
図２は本発明の実施の形態における他例の局部洗浄装置に設けたノズル流路切換ブロックを示している。上記他例は一例と略同様な構成であるが、洗浄モードとして更にノズル洗浄モード及びプレノズル洗浄モードを備え、ロータリーバルブ１０の周囲には更にノズル洗浄ポート４が配してあり、リブ２１から時計回りに第一リセット部２１ａ、ビデ洗浄ポート３、プレ洗浄ポート１、おしり洗浄ポート２、ノズル洗浄ポート４、第二リセット部２１ｂの順に配設されている。
【００２２】
ここでノズル洗浄とは、図３、図４に示すようにおしりシリンダ５５やビデシリンダ５６の上方に設置されるとともにノズル洗浄ポート４と連通したノズル洗浄用ノズル部５７を介して、洗浄中にノズルのスライダ５５ａ，５６ａに附着した汚れを洗い落とす為の洗浄モードのことである。また、該ノズル洗浄をおしり洗浄又はビデ洗浄の前に予め行っておくことで、ノズルのスライダ５５ａ，５６ａに汚れが附着し難くすることもできる。このノズル洗浄を特にプレノズル洗浄という。
【００２３】
図２（ａ）には、おしり洗浄時を示しており、このようにレバー１０ａをおしり洗浄位置Ａに位置させて給水弁５０を開放すれば、開口部１０ｂを介しておしり洗浄ポート２に給水を行うことができる。また、本例では基本的にレバー１０ａがおしり洗浄位置Ａやノズル洗浄位置Ｃ及びビデ洗浄位置Ｂに移動する際に原点リセットを行う場合には図２（ｂ）に示すように第一リセット部２１ａを利用し、プレ洗浄位置Ｄに移動する際には第二リセット部２１ａを利用して原点リセットを行う。このようにレバー１０ａの位置に応じて２箇所のリセット部２１ａ，２１ｂを使い分けることで、レバー１０ａの動作範囲が広くなり過ぎることを防止することができる。
【００２４】
以上、ポートを３つ配した場合と４つ配した場合について簡単に説明したが、以下、本発明の実施の形態における更に他例を基に、実際の使用時の動作について詳細に説明する。但し、更に他例と他例は洗浄ポートの配置が異なるのみであり、他の基本的な構成及び動作仕様は略同様である。また、一例の動作仕様は他例と比べて、ノズル洗浄モード及びプレノズル洗浄モードを備えず、上記洗浄モードに対応するタイミングでは開口部１０ａを止水位置Ｃに位置させるものであるが、その他の動作仕様は同様である。
【００２５】
図６には更に他例の局部洗浄装置に設けたノズル流路切換ブロックを示しており、ロータリーバルブ１０の周囲には、リブ２１から時計回りに第一リセット部２１ａ、プレ洗浄ポート１、ビデ洗浄ポート３、ノズル洗浄ポート４、おしり洗浄ポート２、第二リセット部２１ｂの順に配設されている。つまり、レバー１０ａの位置について言えばリブ２１から時計回りに第一リセット部２１ａ、ビデ洗浄位置Ｂ、ノズル洗浄位置Ｃ、おしり洗浄位置Ａ、プレ洗浄位置Ｄ、第二リセット部２１ｂの順に配設されている。以下の説明においては上記レバー１０ａ位置を基準として行う。
【００２６】
図７に示すように、使用者の着座前つまり着座センサが着座を検知していない間は、レバー１０ａをプレ洗浄位置Ｄに位置させておき、着座センサが着座を検知すると給水弁５０を開放してプレ洗浄ポート１を介してプレ洗浄ノズル６０に洗浄水を送り込み、プレ洗浄を行う。給水弁５０を閉鎖してプレ洗浄を終了させた後には、ロータリーバルブ１０の回動によりレバー１０ａを第一リセット部２１ａに当接させて原点リセットを行ったうえでノズル洗浄位置Ｃにて待機させておくのだが、上記原点リセットまでの回動中にレバー１０ａはおしり洗浄位置Ａ及びビデ洗浄位置Ｂを通過するので、その際にロータリーバルブ１０内に残圧があれば該残圧が主におしり洗浄ポート２にかかってしまう。
【００２７】
図５にも示すように本例のおしりノズル部は、非使用時にはノズルばね３０の付勢力によっておしりシリンダ５５内に収納されたおしりスライダ５５ａが、上記付勢力に抗した水圧によって前方に押し出されておしりキャップ５５ｂから噴水を行う水圧伸縮式のものなので、残圧による誤作動でおしりスライダ５５ａが前進する恐れがある。そこで、本例では給水弁５０を閉鎖した後に一定時間経過を待ってレバー１０ａを移動させている。上記一定時間は残圧による誤作動の生じない範囲で設定すれば良い。また、このように一定時間だけ待機させるものでなく、給水弁５０からロータリーバルブ１０に至る流路内に残圧センサ（図示せず）を配し、該残圧センサの出力に応じてレバー１０ａの移動の判断がなされるまでレバー１０ａをプレ洗浄位置Ｄに位置させるものであっても良い。この場合の動作を図８のフローチャートに示す。
【００２８】
図９に示すように、ノズル洗浄位置Ｃにて待機中に使用者が例えばおしり洗浄スイッチ（図示せず）を操作した場合には、給水弁５０を開放することでノズル洗浄ポート４を介してノズル洗浄用ノズル部５７に洗浄水を送り込み、プレノズル洗浄を行う。その後に給水弁５０の開放は維持したままでレバー１０ａを移動させておしり洗浄位置Ａに位置させれば、おしり洗浄ポート２を介して洗浄水の送り込まれたおしり洗浄ノズル部はおしりスライダ５５ａを前進させた後に噴水によりおしり洗浄を行う。
【００２９】
図１０に示すように、おしり洗浄中に使用者が止スイッチ（図示せず）を操作した場合には、給水弁５０を閉鎖してレバー１０ａをノズル洗浄位置Ｃにまで移動させ、そこで給水弁５０を開放してノズル洗浄を行う。但し、上述したようにおしりノズル部は水圧伸縮式であり、洗浄水の水圧がノズルばね３０の付勢力に負けることでおしりスライダ５５ａをおしりシリンダ５５内に後退させるものなので、給水弁５０の開放を、一定時間経過を待って行う等しておしりスライダ５５ａの後退にタイミングを合わせて行えば、おしりスライダ５５ａからおしりキャップ５５ｂに至るまで効率よく洗浄水をかけて附着した汚れを洗い流すことができる。
【００３０】
給水弁５０を閉鎖してノズル洗浄を終了した後はレバー１０ａを第一リセット部２１ａに当接させて原点リセットを行い、その後はレバー１０ａをノズル洗浄位置Ｃに戻して再び局部洗浄の待機状態に入る。但し、上記原点リセットまでの移動中にレバー１０ａはビデ洗浄位置Ｂを通過するので、その際にロータリーバルブ１０内に残圧があれば該残圧がビデ洗浄ポート３にかかり、おしり洗浄ノズル部と同様に水圧伸縮式であるビデ洗浄ノズル部が誤作動を起こす恐れがある。そこで、本例では給水弁５０を閉鎖してから一定時間経過待機を待ってレバー１０ａを移動させている。上記一定時間は残圧による誤作動の生じない範囲で設定すれば良い。また、このように一定時間だけ待機させるものでなく、残圧センサの出力に応じてレバー１０ａの移動の判断がなされるまでレバー１０ａをノズル洗浄位置Ｃに位置させるものであっても良い。この場合の動作を図１１のフローチャートに示す。
【００３１】
また、図１２に示すように、ノズル洗浄後にレバー１０ａを第一リセット部２１ａに当接させて原点リセットを行うまでの途中で局部洗浄スイッチを操作すると、その位置でレバー１０ａの移動を停止させ、原点リセットを飛ばして直接ノズル洗浄位置Ｃに戻し、その位置から上記局部洗浄スイッチの操作に対応する局部洗浄を行う。これにより局部洗浄の迅速な割り込み切換えが可能となる。
【００３２】
更に、レバー１０ａがノズル洗浄位置Ｃにあるときに着座センサが使用者の離座を検知した場合には、第二リセット部２１ｂにて原点リセットを行ったうえでプレ洗浄位置Ｄにレバー１０ａを位置させておき、着座後に素早くプレ洗浄のできる状態にしておく。つまり本例ではプレ洗浄位置Ｄへの移動前の原点リセットには第二リセット部２１ｂを使用し、ノズル洗浄位置Ｃへの移動前の原点リセットには第一リセット部２１ａを使用しており、このリセット部２１ａ，２１ｂの使い分けによってレバー１０ａの移動量が大きくなり過ぎることを防止している。
【００３３】
以上、局部洗浄時の動作についてはおしり洗浄の場合を例に説明したが、ビデ洗浄に関しても同様の動作を行なう。
【００３４】
【発明の効果】
上記のように本発明に係る局部洗浄装置は、複数の局部洗浄モードとプレ洗浄モードを備え、上記各洗浄モードに応じて流路を切換えるためのノズル流路切換ブロックを、側周面上にレバー部と開口部を設けた回動自在なロータリーバルブの周囲に、該ロータリーバルブの回動により各局部洗浄時に択一的に上記開口部と連通する複数の局部洗浄ポートと、プレ洗浄時に上記開口部と連通するプレ洗浄ポートと、２箇所のリセット部のうち適当な方と上記レバー部を当接させて原点リセットを行う為の第一リセット部及び第二リセット部とを配して構成し、更に、上記ノズル流路切換ブロックへの給水を制御する為の給水弁と、上記各洗浄ポートを介して給水される複数のノズル部とを設けていることに特徴を有している。
【００３５】
従って、プレ洗浄モードやノズル洗浄モード等の多くの洗浄モードを備え、ロータリーバルブの周囲に洗浄ポートを多数配設したものであっても、動作中に行われる幾つかの原点リセットを２箇所のリセット部のどちらかで行うことができ、この為、リセット部を１箇所にしたものと比較して１回の原点リセットにおけるロータリーバルブの回動範囲つまりレバー部の移動範囲が大きくなり過ぎることが防止されるので、切換精度を安定化させて開口部を各ポートの位置に高精度且つ迅速に合わせることができるという効果がある。
【００３６】
更に、ノズル洗浄モードを備えるとともに、ロータリーバルブの周囲には該ロータリーバルブの回動によりノズル洗浄時に開口部と連通するノズル洗浄ポートを設け、ノズル洗浄終了後には第一リセット部と第二リセット部のいずれかで原点リセットを行わせることで、ノズル部に附着した汚れを洗浄することができ、且つ、その為にレバー部の移動範囲が大きくなり過ぎることを防止するという効果がある。
【００３７】
更に、使用者の着座後はロータリーバルブの回動により開口部をノズル洗浄ポートに連通させて局部洗浄の待機をさせておき、局部洗浄直前に給水弁を開放してプレノズル洗浄を行わせることで、ロータリーバルブをそのままの状態で給水弁を開放するだけでプレノズル洗浄を迅速に行うことができるという効果がある。
【００３８】
更に、局部洗浄終了後にロータリーバルブの回動により開口部をノズル洗浄ポートに連通させておき、ノズル部の収縮動作に合わせて給水弁を開放してノズル洗浄を行わせることで、ノズル部全体を効率的に洗浄することができるという効果がある。
【００３９】
更に、プレ洗浄終了後にロータリーバルブの回動により第一リセット部若しくは第二リセット部のいずれかで原点リセットを行い、且つ、そのロータリーバルブの回動途中に開口部が各局部洗浄ポートのいずれかを通過する場合には、プレ洗浄終了後一定時間は開口部をプレ洗浄ポートで待機させた後にロータリーバルブを回動させるか、若しくは、給水弁からロータリーバルブに至る流路内に残圧センサを配し、該残圧センサの出力に応じて開口部をプレ洗浄ポートで待機させるかロータリーバルブを回動させるかの判断を行うことで、プレ洗浄終了後における原点リセットの為のロータリーバルブ回動中に、開口部の通過する局部洗浄ポートに残圧がかかってノズル部が誤作動を生じることが防止されるという効果がある。
【００４０】
更に、ノズル洗浄終了後にロータリーバルブの回動により第一リセット部若しくは第二リセット部のいずれかで原点リセットを行う際に、ロータリーバルブの開口部が各局部洗浄ポートのいずれかを通過する場合には、ノズル洗浄終了後一定時間は開口部をノズル洗浄ポートで待機させた後にロータリーバルブを回動させるか、若しくは、給水弁からロータリーバルブに至る流路内に残圧センサを配し、該残圧センサの出力に応じて開口部をノズル洗浄ポートで待機させるかロータリーバルブを回動させるかの判断を行うことで、ノズル洗浄終了後における原点リセットの為のロータリーバルブ回動中に、開口部の通過する局部洗浄ポートに残圧がかかってノズル部が誤作動を生じることが防止されるという効果がある。
【００４１】
更に、局部洗浄を行わせる為の局部洗浄スイッチ及び局部洗浄を停止させる為の止スイッチを設け、使用者の着座中であり、且つ、局部洗浄中に止スイッチを操作した場合には、該局部洗浄を中途終了させた後にロータリーバルブの回動により第一リセット部若しくは第二リセット部のいずれかで原点リセットを行わせ、更に、上記原点リセットまでの回動途中に局部洗浄スイッチを操作した場合には、上記原点リセットを飛ばして局部洗浄スイッチの操作に応じた局部洗浄を行うことで、局部洗浄中であっても使用者の都合で割り込んで迅速に他の局部洗浄モードに切換えることができるという効果がある。
【図面の簡単な説明】
【図１】  本発明の実施の形態における一例のノズル流路切換ブロックの概略説明図であり、（ａ）はプレ洗浄位置にある状態、（ｂ）は反時計回りに原点リセットした状態、（ｃ）は時計回りに原点リセットした状態を示している。
【図２】  本発明の実施の形態における他例のノズル流路切換ブロックの概略説明図であり、（ａ）はおしり洗浄位置にある状態、（ｂ）は反時計回りに原点リセットした状態を示している。
【図３】  本発明の実施の形態における更に他例の各ノズル部の配置を示しており、（ａ）は下面図、（ｂ）は断面図である。
【図４】  同上の各ノズル部の配置を示す斜視図である。
【図５】  同上のおしりノズルを示しており、（ａ）は縦断面図、（ｂ）は側面図である。
【図６】  同上のノズル流路切換ブロックの概略説明図である。
【図７】  同上のノズル流路切換ブロックにおけるプレ洗浄動作の説明図である。
【図８】  同上の残圧センサを備えたノズル流路切換ブロックにおけるプレ洗浄後動作のフローチャートである。
【図９】  同上のノズル流路切換ブロックにおけるプレノズル洗浄動作の説明図である。
【図１０】  同上のノズル流路切換ブロックにおけるおしり洗浄動作の説明図である。
【図１１】  同上の残圧センサを備えたノズル流路切換ブロックにおけるおしり洗浄後動作のフローチャートである。
【図１２】  同上のノズル流路切換ブロックにおける割り込み局部洗浄動作の説明図である。
【図１３】  従来例の構造図である。
【図１４】  同上のノズル流路切換ブロックの構造図である。
【図１５】  同上のノズル流路切換ブロックの概略説明図である。
【符号の説明】
１  プレ洗浄ポート
２  おしり洗浄ポート
３  ビデ洗浄ポート
４  ノズル洗浄ポート
１０  ロータリーバルブ
１０ａ  レバー
１０ｂ  開口部
２１  リブ
２１ａ  第一リセット部
２１ｂ  第二リセット部
５０  給水弁
５７  ノズル流路切換ブロック
Ａ  おしり洗浄位置
Ｂ  ビデ洗浄位置
Ｃ  ノズル洗浄位置
Ｄ  プレ洗浄位置
【図１】
0004581257.tif 000002
【図２】
0004581257.tif 000003
【図３】
0004581257.tif 000004
【図４】
0004581257.tif 000005
【図５】
0004581257.tif 000006
【図６】
0004581257.tif 000007
【図７】
0004581257.tif 000008
【図８】
0004581257.tif 000009
【図９】
0004581257.tif 000010
【図１０】
0004581257.tif 000011
【図１１】
0004581257.tif 000012
【図１２】
0004581257.tif 000013
【図１３】
0004581257.tif 000014
【図１４】
0004581257.tif 000015
【図１５】
0004581257.tif 000016